(57)【特許請求の範囲】
【請求項１】
擁壁面を形成する前端部と、前端部の後側に延設されると共に、前端部より幅を狭くし、かつ上面部を貯水可能な皿状に形成した控部とからなる複数のコンクリートブロックの相互を、前端部及び控部の相互間に隙間を有して、
各コンクリートブロックの底面に対して直角線上に配置した複数の連結筋にて横方向に連結したことを特徴とする構築用ブロック。
【発明の詳細な説明】
【０００１】
【発明の属する技術分野】
本発明は、傾斜地に擁壁を構築するための構築用ブロックに関するものである。
【０００２】
【従来の技術】
擁壁を構築するための構築用ブロックのコンクリートブロックは擁壁面を形成する前端部と、前端部の後側に延設される控部とからなっている。そして、従来のコンクリートブロックの控部は、前端部より断面積が小さく、また一般的に円柱状、角柱状あるいは六角柱などの中実断面形状をなしており、積み上げたときの擁壁の安定性を増す役割を果たしている。
【０００３】
また、上記コンクリートブロックを擁壁として積み上げる際に、複数個ずつまとめて積み上げることができるようにするために、複数個のコンクリートブロックを連結した構築用ブロックが、特開平９−２１７３６５号公報にて知られている。この従来の構築用ブロックは、屈撓性を有するシートの一側辺に、これの一側辺に沿わせて複数の自然石を接着した構成になっている。
【０００４】
【発明が解決しようとする課題】
上記したコンクリートブロックにあっては、これの控部が中実の柱状になっていることにより、雨水等擁壁の裏側に浸透する水は控部の表面に沿って下方へ落下し、この控部による保水性は全く期待できなかった。
【０００５】
一方上記従来のコンクリートブロックを連結した構築用ブロックにあっては、連結するコンクリートブロックに自然石を用いているが、最近は自然石が少なくなっており、所定の大きさのものを必要な量だけ集めるのが困難になっている。そしてこの自然石を限られた場所から多量に集めることにより自然破壊現象が生じてしまうという問題がある。また、この従来のものにあっては、法面が急な勾配の擁壁を構築できるが、この擁壁の横断方向の表面形状を凸円状や凹円状に湾曲させて構築することがむずかしかった。
【０００６】
本発明は上記のことに鑑みなされたもので、控部にも保水性を持たせることができるコンクリートブロックを用いて、連結型の構築用ブロックを構成する際に、自然石を多用することによる自然石集めの困難を解決できると共に、自然石採集による自然破壊を防止することができ、また、複数のコンクリートブロックを一度に積み上げながら、横断方向の表面形状を凸円状、または凹円状のいずれにも容易に湾曲して積み上げることができ、さらに擁壁の表面側及び内側における植物の生育環境を良好に保つことができるようにした構築用ブロックを提供することを目的とするものである。
【０００７】
【課題を解決するための手段】
上記目的を達成するための構築用ブロックは、擁壁面を形成する前端部と、前端部の後側に延設されると共に、前端部より幅を狭くし、かつ上面部を貯水可能な皿状に形成した控部とからなる複数のコンクリートブロックの相互を、前端部及び控部の相互間に隙間を有して、各コンクリートブロックの底面に対して直角線上に配置した複数の連結筋にて横方向に連結した構成になっている。
【０００８】
【作  用】
構築用ブロックは、これを構成する複数のコンクリートブロックが連結筋にて連結された状態で順次、積み上げられる。このとき、各コンクリートブロックを横方向に連結している連結筋が、コンクリートブロックの底面に対して直角線上に複数本配置されていることにより、各コンクリートブロックは個々に姿勢が乱れることなく、また、横断方向に湾曲可能に積み上げられる。
【０００９】
また、構築用ブロックを構成する各コンクリートブロックの前端部及び控部の相互間に隙間があることと、各コンクリートブロックの控部の上面部の皿状部に貯水されることにより、擁壁の表面の植生環境を良くすることができる。
【００１０】
【発明の実施の形態】
本発明の実施の形態を図面に基づいて説明する。図中Ａはコンクリートにて同一形状に形成された例えば５個のコンクリートブロック１ａ，１ｂ，１ｃ，１ｄ，１ｅからなる構築用ブロックであり、この構築用ブロックＡを構成する各コンクリートブロック１ａ〜１ｅは、擁壁面を形成する前端部２と、この前端部２の後側に設けた控部３とからなっている。擁壁面は擬石模様になっている。
【００１１】
前端部２は四角形になっていると共に、上端が後側へ後退するように傾斜されている。控部３は前端部２の下端より後方へ水平に、かつ平面形状が徐々に小さくなる形状で延設されており、これの後端に後端壁４が突設されている。これにより、コンクリートブロック１ａ〜１ｅの側面形状は上方を開放した略コ字状になっている。そして控部３の中間部の上面には凹み３ａがあり、この部分が皿状になっている。控部３の下面には、前端部２の上端部が係合する切欠部５を有する凸起６が控部３の長手方向に設けてある。なお、後端壁４の高さはこの凸起６分だけ前端部２より低くなっている。
【００１２】
各コンクリートブロック１ａ〜１ｅはそれぞれの前端部２において、上下に離間する複数、例えば２本の連結筋７ａ，７ｂにて横一列に連結されている。このとき、前端部２の相互間で隙間８を有して連結されている。そしてこの状態で、各コンクリートブロック１ａ〜１ｅの控部３の相互間にも、この控部３が徐々に小さくなった分だけ隙間９があけられる。連結筋７ａ，７ｂは一般的に鉄筋が用いられるが、他の材料でもよい。上記前端部２の相互間の隙間８は上側が少し広くなるようにしてある。
【００１３】
各コンクリートブロック１ａ〜１ｅを連結する２本の連結筋７ａ，７ｂは控部３にて形成されるブロック底面に対する直角線ａ上に位置されている。
【００１４】
上記構成の構築用ブロックＡは図４、図５に示すように、水平積みされる。各コンクリートブロック１ａ〜１ｅの凸起６の切欠部５に係合する段部１０ａを有して設けた基礎コンクリート１０の上に、順次ブロックの１／２だけ横方向にずらせて、千鳥状に積み重ねる。このとき、各コンクリートブロック１ａ〜１ｅの控部３の下面が水平になるように、かつ控部３の下面に設けた凸起６の切欠部５を下側の構築用ブロックＡの前端部２の上端に係合させ、凸起６の後端部は控部３の後端壁４の上面に載置する。
【００１５】
この状態での各構築用ブロックＡのコンクリートブロック１ａ〜１ｅは基礎コンクリート１０の段部１０ａ及び各コンクリートブロック１ａ〜１ｅの前端部２の上端部と凸起６の切欠部５による係合により、前側へのセリ出しが防止される。
【００１６】
また、各構築用ブロックＡの各コンクリートブロック１ａ〜１ｅの控部３は、これの上面部を貯水可能な皿状に形成した構成になっているので、図４及び図５に示すように積み上げた状態で、各控部３の上面部は水受けとなり、この部分で貯水することができる。
【００１７】
また、各構築用ブロックＡのコンクリートブロック１ａ〜１ｅの各前端部２の相互には隙間８があけられているので、植生がこの隙間より繁茂される。
【００１８】
積み上げられる各構築用ブロックＡの後側には裏込め材１１が、また各コンクリートブロック１ａ〜１ｅの控部３の上側及び相互の控部３の間に中込め材１２が充填される。なおこれらには現地にて発生する材料を用いてもよい。
【００１９】
図４、図５は、構築用ブロックＡを１０段積み上げて擁壁を構成した例を示すが、この擁壁の側端は小口止めコンクリート１３にて固める。このとき、構築用ブロックＡはブロックの幅の１／２だけずれた千鳥状に積み上げたことにより、上記小口止めコンクリート１３に対向する位置に、１段ごとに１／２幅のブロック１ｆを用いる。この１／２幅のコンクリートブロック１ｆは単独に１個ずつ用いてもよいが、例えば図４に示すように、正規のコンクリートブロック２個と１／２幅のコンクリートブロック２ｆ１個とを連結して１／２長さの構築用ブロックＢとして用いてもよい。
【００２０】
本発明に係る構築用ブロックＡ，Ｂにより構築される擁壁は、これの法面が平面状である以外に、横断方向に凸円状あるいは凹円状に湾曲させる場合がある。このように法面を湾曲させる場合には、図６、図７に示すように、構築用ブロックＡを構成するコンクリートブロック１ａ〜１ｅを連結筋７ａ，７ｂを曲げることにより凸円状（図６）に、あるいは凹円状（図７）に湾曲させることができる。このとき各コンクリートブロック１ａ〜１ｅ間の隙間８，９の間隔が変化することによりコンクリートブロック相互の干渉が防止される。
【００２１】
構築用ブロックＡの各コンクリートブロック１ａ〜１ｅを連結する２本の連結筋７ａ，７ｂは控部３の水平にした底面に対して直角線ａ上にあることにより、各コンクリートブロック１ａ〜１ｅは積み上げ水平面内でスムーズに湾曲される。また、上記連結筋７ａ，７ｂが複数本（２本）であるので、各コンクリートブロック１ａ〜１ｅは水平方向の姿勢が保持されて上下方向に乱れることなく湾曲される。
【００２２】
【発明の効果】
本発明の構成によれば、先端部分に擬石を形成したコンクリートブロックを用いることにより、自然石を多用することによる自然石集めの困難を解決できると共に、自然石採集による自然破壊を防止することができる。
【００２３】
また、特に本発明の構成によれば、構築用ブロックを構成する複数のコンクリートブロックのそれぞれの控部が、これの上面部を貯水可能な皿状に形成した構成になっていて、この控部の上面にて貯水できることにより、この構築用ブロックにて構成される擁壁の裏側の控部にて保水性を維持でき、この擁壁の表面側及び裏側における植物の生育環境を良好に保つことができて、環境保全を図ることができる。さらに、この構成では、複数のコンクリートブロックの相互を、各コンクリートブロックの底面に対して直角線上に配置した複数の連結筋にて横方向に連結したことにより、構築用ブロックを構成する各コンクリートブロックを、連結筋を曲げることにより積み上げ水平面内でスムーズに湾曲させて積み上げることができ、また、底面に対して直角線上に配置される複数の連結筋により、各コンクリートブロックは水平方向の姿勢で保持されて上下方向に乱れることなく、横断方向の表面形状を凸円状、または凹円状のいずれの湾曲積みをも容易に行うことができる。
【図面の簡単な説明】
【図１】本発明の実施の形態を示す平面図である。
【図２】本発明の実施の形態を示す正面図である。
【図３】図２のＡ−Ａ断面図である。
【図４】本発明に係る構築用ブロックを積み上げてなる擁壁を示す正面図である。
【図５】図４にて示す擁壁の断面図である。
【図６】構築用ブロックを凸円形に変形させた状態を示す平面図である。
【図７】構築用ブロックを凹円形に変形させた状態を示す平面図である。
【符号の説明】
１ａ〜１ｆ…コンクリートブロック、２…前端部、３…控部、３ａ…凹み、４…後端壁、５…切欠部、６…凸起、７ａ，７ｂ…連結筋、８，９…隙間、１０…基礎コンクリート、１０ａ…段部、１１…裏込め材、１２…中込め材、１３…小口止めコンクリート、Ａ，Ｂ…構築用ブロック、ａ…直角線。
【図１】
0003629680.tif 000002
【図２】
0003629680.tif 000003
【図３】
0003629680.tif 000004
【図４】
0003629680.tif 000005
【図５】
0003629680.tif 000006
【図６】
0003629680.tif 000007
【図７】
0003629680.tif 000008